(57)【要約】【課題】  片手によりダイヤルを回して楽曲を演奏するオルゴール装置を提供すること。【解決手段】  オルゴール本体２０を固定している下部容器１１と、クラッチ装置を介してオルゴール本体２０に固定されているダイヤル３０、該ダイヤルを外部に露出させる為の窓１３を有する上部容器１２で構成され、容器を片手で保持し、指でダイヤルを回転させることにより、オルゴールの演奏を可能とした。【選択図】図１
0003137861.tif 000002
【実用新案登録請求の範囲】
【請求項１】
オルゴールと、このオルゴールを収容する容器と、オルゴールを駆動するダイヤルから成り、該ダイヤルが前記の容器の外に露出させて配置された事を特徴とするオルゴール。
【請求項２】
前記ダイヤルを左右どちらの方向に回転させても、オルゴールの駆動が可能な請求項１記載のオルゴール。
【考案の詳細な説明】
【技術分野】
【０００１】  本考案は、片手によりダイヤルを回して楽曲を演奏するオルゴール装置に関する。
【背景技術】
【０００２】  従来から、小型のオルゴールは、置物や人形、宝石箱などに組み込まれて使用され、巻上げ軸に一体固定された巻き鍵で、ゼンマイを巻上げて楽曲を演奏させるのが一般的である。更に手動でハンドルを回して楽曲を演奏させるオルゴールも有るが、いずれも片手でオルゴールが組み込まれた本体を保持し、もう一方の手で巻き鍵或いはハンドルを操作する事により、楽曲の演奏を実現する構成となっている。
【考案が解決しようとする課題】
【０００３】  しかしながら、従来のオルゴール構成では、巻鍵で巻上げる方式でも、ハンドルで演奏する方式でも、オルゴールを演奏する時には両手が必要とされる。このため、気軽にいつどこにいても、オルゴールを演奏して楽しむ事が出来ない。
【０００４】  又、モータ駆動方式も考えられるが、バッテリー電源が必要となるため、商品のサイズも大きくなってしまうだけでなく、重量も重くなるので片手で操作するサイズに収める事は難しい。
【０００５】  そこで本考案は、このような点に鑑みてなされたものであり、その目的は、オルゴールを手の平に保持し、片手の指だけで、オルゴールの曲を好きな時に演奏可能なオルゴール装置を提供する事にある。
【課題を解決する為の手段】
【０００６】以上のような課題を解決するために、本考案は、以下のものを提供する。
【０００７】  かかる目的を達成する為、請求項１の考案は、オルゴールと、このオルゴールを収容する球状の容器と、オルゴールを駆動するダイヤルから成り、該ダイヤルが前記の球状の容器の外に露出させて配置されている。
【０００８】  又、請求項２の考案は、前記ダイヤルを左右どちらの方向に回転させても、オルゴールの駆動が可能な形態で構成されている。
【考案の効果】
【０００９】本考案によれば、請求項１のオルゴールでは、片手の手の平にオルゴールを保持し、指の操作だけでオルゴールを鳴奏させることが出来る。例えば、オルゴールを手の平に乗せ、球状容器から外に露出しているダイヤルに親指を接触させて、ダイヤルを回転させる事により、オルゴールが鳴奏を開始する。この為、オルゴールのゼンマイを巻上げることなく、且つ、片手親指だけでオルゴールを機能させる事が出来る。
【００１０】そして、請求項２の考案では、使用者がダイヤルに接触させた指を離すことなく、ダイヤルを回転させる事により、オルゴールの鳴奏をさせることが出来る。従って、鳴奏が途中で途切れる事が無く、円滑にしかも、自分の好みの速度で曲の演奏を楽しむ事ができる。
【００１１】この結果、演奏を楽しんでいる間、指の曲げ伸ばしでダイヤルを回転させる操作が継続される事で、指や手の筋力アップトレーニングに役立つだけでなく、曲を自分の好みの演奏速度に保つには、継続して繊細な指の動きが要求されるので、演奏を楽しみながら失われた機能を取り戻す、リハビリ効果も期待できるオルゴールの提供に貢献できる。
【考案を実施するための最良の形態】
【００１２】以下、本考案に関するオルゴール装置の最良の形態について、図面を参照しながら説明する。【００１３】図１〜４に、本考案のオルゴール装置の一実施例を、球状の形態をとる容器に適用した場合について示す。図１はこのオルゴール装置全体を示す概略の平面図、図２はその側面図である。更に図３はオルゴール本体の平面図、図４はその側面図である。オルゴール装置１０は、ダイヤル３０の回転で駆動されるオルゴール本体２０、オルゴール本体２０を収納する下部容器１１，上部容器１２から構成されている。又、下部容器１１には、オルゴール本体２０が１４ネジにより固定され、上部容器１２には、ダイヤル３０を外部に露出させる為の窓１３が設けられている。【００１４】次に、ダイヤル３０の回転で駆動するオルゴール本体２０の構成を図３、４に基づいて説明する。オルゴール本体２０は、ベースとなるフレーム２１の上部に振動弁２８を弾いて曲を演奏するドラム２４が、回転自在に保持されており、振動弁２８は振動板２６と一体に形成され、ネジ２７によりフレーム２１に固定されている。又、ドラム２４の片側に設けられた歯車２５は、歯車５０と一体に設けられたピニオン５３と噛み合っており、更に、歯車５０はその軸部５２を、支持部材６０と一体に設けられた軸受６４、６５により回転自在に保持され、支持部材６０はネジ６１によりフレーム２１に固定されている【００１５】次に、ダイヤル３０をどちらの方向に回転させても、一方向の回転のみを出力させる事ができるクラッチ装置４０の構成を図５に基づき説明する。クラッチ装置４０は、クラッチ軸４１、上スプリングクラッチ４２、下スプリングクラッチ４４、上ピニオン４３，下ピニオン４５及び、ダイヤル３０に圧入固定されているダイヤル軸３１から構成されている。更に、ダイヤル軸３１には、クラッチ軸４１が圧入固定されており、上ピニオン４３，下ピニオン４５はダイヤル軸３１に回転自在に保持されているが、クラッチ軸４１の上段差部４６，下段差部４７及び、上ピニオン段差部４８、下ピニオン段差部４９の双方に軽圧入状態で上スプリングクラッチ４２，下スプリングクラッチ４４が係合している。ダイヤル軸３１の先端ホゾ部３２及び、ガイド部３３は、支持部材６０と一体の下部軸受６２、上部軸受６３で回転自在に保持され、上ピニオン４３，下ピニオン４５は歯車５０の冠歯車５１と噛み合っている。
【動作の説明】
【００１６】次に、ダイヤル３０を回して、オルゴールを鳴奏させる動作・作用に付いて説明する。ダイヤル３０を時計方向に回転させると、ダイヤル軸３１と一体のクラッチ軸４１が同じく時計回転するが、この時上スプリングクラッチ４２が、それぞれ係合している上クラッチ軸段差部４６及び上ピニオン段差部４８を締め付けることにより、上ピニオン４３はダイヤル軸３１と一体になり時計方向に回転する。この時、上ピニオン４３と噛み合っている冠歯車５１は同じく時計方向に回転する（図４において）。この結果、冠歯車５１とピニオン５３及び、当ピニオンと噛み合っている歯車２５が回転することにより、ドラム２４が順方向に回転して振動弁２８を弾きオルゴールが鳴奏する。
【００１７】この時、反対側で冠歯車５１と噛み合っている下ピニオン４５の方は、冠歯車５１により強制的に反時計方向に回転するが、下クラッチ軸段差部４７及び下ピニオン段差部４９に係合している下スプリングクラッチ４４が緩むことにより、下ピニオン４５と下スプリングクラッチ４４が軽くスリップするため、冠歯車５１の回転を妨げる事はない。
【００１８】又、ダイヤル３０を反時計方向に回転すると、ダイヤル軸３１と一体のクラッチ軸４１が同じく反時計方向に回転するが、この時下スプリングクラッチ４４が、それぞれ係合している下クラッチ軸段差部４７及び下ピニオン段差部４９を締め付けることにより、下ピニオン４５はダイヤル３０と一体になり反時計方向に回転する。この時、下ピニオン４５と噛み合っている冠歯車５１は時計方向に回転する（図４において）。この時、前項と同じ理由で、上ピニオン４３が冠歯車５１の回転を妨げる事はない。この結果、冠歯車５１と一体のピニオン５３及び当ピニオンと噛み合っている歯車２５が回転することにより、ドラム２４が順方向に回転して振動弁２８を弾きオルゴールが鳴奏する。従って、ダイヤル３０が、どちらの方向に回転させられても、上ピニオン４３，下ピニオン４４には一方向の回転力のみが伝達されドラム２４が順方向に回転してオルゴールが鳴奏する。
【００１９】ダイヤル３０は上部容器１２に設けられた窓１３から外部に露出しているが、ダイヤル３０の外径と露出長さ、及び位置は、上下部容器１１，１２を手の平に保持した時、親指で操作しやすい値に設定されている。更に、当容器１１，１２の外径サイズは、手の平にすっぽり収まる様に設定されており、通常、オルゴール本体を収納して保持するのに充分な剛性を有するプラスチック、木材、金属、厚紙などで造られている。
【００２０】以上のように構成されたオルゴール装置の組み立ては、次の様にして簡単に実施可能である。まず、下部容器１１に設けられた孔１４を介して、ネジ１５でオルゴール本体２０が一体固定される。この時、ダイヤル３０は上部容器１２の窓１３から露出する様に位置合わせされる。又、下部容器１１は上部容器１２と、それぞれの段差部１６、１７で係合し、接着剤で一体固定する事により完成する。
【００２１】又、下部容器１１の一部は、カット面１８を有しているが、これは容器をおいた場合、転がりを防止するだけでなく、装飾効果をあげるロゴやキャラクターなどの図柄や、曲目を印刷したラベルを貼付するなど必要に応じて活用できる。又容器の表向には、ゴム系の塗装を施す事により、手ざわり感を良くしたり、操作時のすべり防止効果も、外観装飾に付加することも可能である。
【００２２】尚、上述の実施例は、本考案の好適な実施例の一例であるが、これに限定されるものではなく、本考案の要旨を逸脱しない範囲において種々変形実施可能である。例えば図６，７の様に、直方体や立方体、完全球形（ボール状）、卵形など産物形状としても構わない。
【００２３】又、本実施例では、容器の固定を接着としているが、嵌め込みフック式の構造とすることも可能である。従って、容器の形状や大きさに応じて、適切な構造の接合方式を取る事ができる。
【考案の効果】
【００２４】以上の説明から明らかなように請求項１に記載のオルゴールでは、オルゴール装置１０は、ダイヤル３０の回転で駆動されるオルゴール本体２０、オルゴール本体２０を固定する下部容器１１、ダイヤル３０を外部に露出させる為の窓１３を有する上部容器１２で構成されているので、片手の手の平にオルゴールを乗せ、容器から外に露出しているダイヤルに親指を接触させて、ダイヤルを回転させる事により、オルゴールが鳴奏を開始する。従って、オルゴールのゼンマイを巻上げることなく、且つ、片手親指だけでオルゴールを機能させる事が出来ので、いつ何処でも好きな時にオルゴールの演奏を楽しむことが出来る。
【００２５】請求項２の考案では、一方向の回転のみを出力させるクラッチ装置４０の働きにより、ダイヤル３０をどちらの方向に回転しても、上ピニオン４３，下ピニオン４５と噛み合っている冠歯車５１が、時計方向に回転することにより、ドラム２４が順方向回転して振動弁２８を弾きオルゴールが鳴奏させることが出来る。この結果、使用者がダイヤルに接触させた指を離すことなく、ダイヤルを回転させる事により、オルゴールの鳴奏をさせることが出来る。従って、鳴奏が途中で途切れる事が無く、円滑にしかも、自分の好みの速度で曲の演奏を楽しむ事ができる。この結果、演奏を楽しんでいる間、指を曲げ伸ばししてダイヤルを回転させる事で、指や手の筋力アップトレーニングに役立つだけでなく、曲を自分の好みの演奏速度に保つには、継続して繊細な指の動きが要求され、演奏を楽しみながら失われた機能を取り戻す、リハビリ効果も期待できるオルゴールの提供に貢献できる。
【００２６】又、オルゴール装置の構成もシンプル且つコンパクトで、組立も容易に出来る為、品質の安定化だけでなく低コストでの生産が可能となる。更に、容器の外観ディザインや表面塗装・材質などの最適な選択により、操作性向上の実現や外観装飾機能のレベルアップにより、購買者の興味を引き付け、従来には無い魅力的な商品を提供する事が出来る。
【図面の簡単な説明】
【００２７】
【図１】  本考案の一実施形態のオルゴール装置の平面図である。
【図２】  図１の側面図である。（一部断面図）
【図３】  オルゴール本体を示す平面図である
【図４】  図３の側面図である。
【図５】  図クラッチ装置４０の断面図である。
【図６】  他の実施例の平面図である。
【図７】  図６の側面図である。
【符号の説明】
【００２８】１０  オルゴール装置
１１  下部容器
１２  上部容器
１３  窓
１４  ネジ
１５  孔
１６  段差部
１７  段差部
２０  オルゴール本体
２１  フレーム
２４  ドラム
２５  歯車
２６  振動板
２７  ネジ
２８  振動弁
３０  ダイヤル
３１  ダイヤル軸
３２  ホゾ部
３３  ガイド部
４０  クラッチ装置
４１  クラッチ軸
４２  上スプリングクラッチ
４３  上ピニオン
４４  下スプリングクラッチ
４５  下ピニオン
４６  上段差部
４７  下段差部
４８  上ピニオン段差部
４９  下ピニオン段差部
５０  歯車
５１  冠歯車
５２  軸部
５３  ピニオン
６０  支持部材
６１  ネジ
６２  下部軸受
６３  上部軸受
６４  軸受
６５  軸受
【図１】
0003137861.tif 000003
【図２】
0003137861.tif 000004
【図３】
0003137861.tif 000005
【図４】
0003137861.tif 000006
【図５】
0003137861.tif 000007
【図６】
0003137861.tif 000008
【図７】
0003137861.tif 000009